(57)【要約】  【課題】  映像表示装置において、リムーバブルＨＤＤの着脱作業性の改善とノイズの進入防止とを図る。  【解決手段】  表示部の裏面側に重ねて配する回路部において、リムーバブルＨＤＤが着脱可能に装填されるＨＤＤソケットを該回路部の側面側に設け、かつ、電源回路が形成された電源回路基板へＡＣ電力を供給するためのＡＣ電源配線と、上記ＨＤＤソケットとを信号回路基板の両側に分けて配し、該信号回路基板と該ＨＤＤソケットとの間を接続するＨＤＤソケット接続配線と該ＡＣ電源配線との間で交差や近接位置での平行化を回避した構成とする。【選択図】  図１
2008236167.tif 000002
【特許請求の範囲】
【請求項１】
入力された映像信号に基づき映像表示を行う映像表示装置であって、
上記映像表示を行う表示部と、
上記表示部の裏面側に配され、装置を駆動する回路部と、
を備えて成り、
上記回路部が、
外部から入力されたＡＣ電力に基づき所定電圧の装置駆動用電力を形成し出力する電源回路が形成された電源回路基板と、
入力映像信号を信号処理し上記表示部に表示可能な信号を出力する信号処理回路が形成された信号回路基板と、
上記回路部の側面側に設けられ、上記入力映像信号または上記信号処理回路により信号処理された信号を記録するためのリムーバブルＨＤＤが着脱可能に装填されるＨＤＤソケットと、
上記電源回路基板へ上記ＡＣ電力を供給するＡＣ電源配線と、
上記信号回路基板と上記ＨＤＤソケットとの間を接続するＨＤＤソケット接続配線と、
を備え、上記電源回路基板、上記信号回路基板及び上記ＨＤＤソケットが、上記表示部の平面に平行な平面内で互いに異なる位置に配され、かつ、上記ＡＣ電源配線と上記ＨＤＤソケットとが上記信号回路基板の両側に分けて配された構成であることを特徴とする映像表示装置。
【請求項２】
上記ＨＤＤソケットは、上記リムーバブルＨＤＤが上記表示部の平面に略平行な方向に移動して着脱される構成である請求項１に記載の映像表示装置。
【請求項３】
上記ＨＤＤソケットは、上記表示部の平面に平行な上記回路部の平面内において、上記表示部平面の横方向中心線の高さ位置よりも下方に配される請求項１または請求項２に記載の映像表示装置。
【請求項４】
上記ＨＤＤソケットは、上記信号回路基板よりも下方側に配される請求項１、２または３に記載の映像表示装置。
【請求項５】
上記ＡＣ電源配線と上記ＨＤＤソケット接続配線とが上記信号回路基板の両側に分けて配される請求項１、２または３に記載の映像表示装置。
【請求項６】
上記ＡＣ電源配線には、上記ＡＣ電力の上記電源回路基板への供給をオン、オフする電源スイッチが接続され、該電源スイッチは、上記回路部または上記表示部の下面側にあって、上記信号回路基板をはさんで上記ＨＤＤソケット接続配線と反対側に設けられた構成である請求項１、２または３に記載の映像表示装置。
【請求項７】
上記映像表示装置はプラズマディスプレイ装置であり、
上記回路部内において、
上記信号回路基板は、上記電源回路基板よりも下方側に配され、
上記ＨＤＤソケットは、上記表示部内の表示放電用の電極を駆動する表示電極駆動回路が形成された基板よりも下方側に配された構成である請求項１から６のいずれかに記載の映像表示装置。
【請求項８】
上記映像表示装置は液晶ディスプレイ装置であり、
上記回路部内において、
上記ＨＤＤソケット、上記電源回路基板及び上記信号回路基板が、横方向に並んで配された構成である請求項１から６のいずれかに記載の映像表示装置。
【発明の詳細な説明】
【技術分野】
【０００１】
本発明は、プラズマディスプレイ装置や液晶ディスプレイ装置などの映像表示装置に係り、特に、回路部内における各回路基板及び回路基板間配線の配置に関する。
【背景技術】
【０００２】
本発明に関連した従来技術であって特許文献に記載された技術としては、特開２００４−３２６０１３号公報（特許文献１）や特開２００６−２７９８３６号公報（特許文献２）に記載されたものがある。特開２００４−３２６０１３号公報には、大量のデータを読み書き可能で、記憶装置を着脱し易く、かつ低コストの表示装置として、記憶装置としてのハードディスクドライブを、表示装置の後面側においてシールド板上に設けるとした構成が記載されている。該構成において、該ハードディスクドライブは、表示装置の後面側の平面領域内に設けられた開口内に該開口の上方から挿入され、該シールド板に対し複数のボルトで固定される。さらに、該開口の上方はボルト固定式のカバーで覆われる。また、特開２００６−２７９８３６号公報には、映像信号処理装置及びテレビジョン放送受信装置として、装置本体を支持するスタンドに、ＨＤＤ（ハードディスクドライブ）ユニットを着脱可能に収容するとした構成が記載され、該構成において、ＨＤＤユニットのケースは、一対の部品格納部と、該部品格納部の端部間を連結する連結部とで構成され、一方の部品格納部にＨＤＤ本体が収納されるとともに、コネクタが取着され、さらに、手かけ部が、ＨＤＤ本体が収納された部品格納部寄りに設けられている。
【０００３】
【特許文献１】特開２００４−３２６０１３号公報
【特許文献２】特開２００６−２７９８３６号公報
【発明の開示】
【発明が解決しようとする課題】
【０００４】
上記特開２００４−３２６０１３号公報記載の技術では、ハードディスクドライブが表示装置の後面側に設けられているため、ハードディスクドライブの表示装置への着脱作業の際には、その都度、作業者が表示装置の後面側に回って作業を行う必要があり、また、ハードディスクドライブが開口内でシールド板に対して複数のボルトで固定されかつ該開口を覆うカバーも複数のボルトで固定されるため、該ハードディスクドライブの表示装置への着脱をワンタッチで行うことが不可能である。このため、該特開２００４−３２６０１３号公報記載の技術では、ハードディスクドライブの着脱作業が複雑でかつ時間がかかることが予想される。また、上記特開２００６−２７９８３６号公報記載の技術では、ＨＤＤ（ハードディスクドライブ）ユニットが、装置本体支持用のスタンド内に収容される構成のため、該スタンドの寸法及び重量が増大することになり、装置本体との間にそのための配線も必要となって該配線からＨＤＤ（ハードディスクドライブ）ユニットにノイズも入り込み易い。ノイズが入り込んだ場合には、ＨＤＤ（ハードディスクドライブ）の記録または再生動作が停止してしまうことがある。さらに、該スタンドが床面上にある場合には、ＨＤＤユニットの着脱作業の際、作業者は低い位置で着脱作業を行う必要があり、作業をしにくいことが予想される。
【０００５】
本発明の課題点は、上記従来技術の状況に鑑み、着脱可能なハードディスクドライブ（以下、リムーバブルＨＤＤという）映像表示装置において、該リムーバブルＨＤＤへのノイズの進入や、さらに、該リムーバブルＨＤＤの温度上昇も抑えられるようにすることである。
本発明の目的は、上記課題点を解決し、使い勝手が良く、信頼性を確保した映像表示装置を提供することにある。
【課題を解決するための手段】
【０００６】
上記課題点を解決するために、本発明では、映像表示装置として、表示部の裏側に配される回路部内において、リムーバブルＨＤＤが着脱可能に装填されるＨＤＤソケットを該回路部の側面側に設け、かつ、電源回路が形成された電源回路基板へＡＣ電力を供給するためのＡＣ電源配線と、信号処理回路が形成された信号回路基板と上記ＨＤＤソケットとを該信号回路基板の両側に分けて配する構成とする。かかる構成は、リムーバブルＨＤＤの着脱作業性を改善するとともに、ＡＣ電源配線と、信号回路基板とＨＤＤソケットとの間を接続するＨＤＤソケット接続配線とが互いに交差することや近接位置で平行状態となることをなくし、リムーバブルＨＤＤへのノイズが入り込むのを抑える。
【発明の効果】
【０００７】
本発明によれば、映像表示装置において、リムーバブルＨＤＤへのノイズの影響を抑えて装置の信頼性を向上させることができる。
【発明を実施するための最良の形態】
【０００８】
以下、本発明の実施例につき、図面を用いて説明する。
図１〜図３は、本発明の第１の実施例の説明図である。図１は、本発明の第１の実施例としての映像表示装置の構成図、図２は、図１の映像表示装置の構成説明用の比較図、図３は、図１の映像表示装置の外観図である。本第１の実施例は、信号を記録するためのリムーバブルＨＤＤが着脱可能に装填されるＨＤＤソケットを備えるプラズマディスプレイ装置の例である。
【０００９】
図１において、１ａは、入力された映像信号に基づく表示放電により映像表示を行うプラズマディスプレイ装置、１１は、互いにマトリックス状に配されたアドレス電極と表示放電用の電極とを備え、アドレスされた電極間のセルを放電させて上記映像表示を行う表示部、１２は、表示部１１の裏面（−Ｚ軸方向）側に該表示部１１に平面的に重ねて配され、装置を駆動する回路部、１０は、表示部１１の一部と回路部１２とを覆うカバー、１３は、表示部１１、回路部１２及びカバー１０を支持するスタンド、１２１は電源回路基板、１２１ａは、電源回路基板１２１上に形成され、外部から入力されたＡＣ電力に基づき所定電圧の装置駆動用電力を形成し出力する電源回路、１２２は信号回路基板、１２２ａは、該信号回路基板１２２上に形成され、画像処理回路やマイコンなどを備えて成り、入力映像信号を信号処理し上記表示部１１に表示可能な信号を出力する信号処理回路、１２２１〜１２２３は信号処理回路１２２ａの接続用端子部、１２３は、信号回路基板１２２上に設けられ、信号処理回路１２２ａで信号処理された信号を記憶するストレージ部、１２３１、１２３２はストレージ部１２３の接続用端子部、１２４、１２５はそれぞれ、表示電極駆動回路基板、１２４ａは、表示電極駆動回路基板１２４上に形成され、表示部１１内の表示放電用の電極のうちの一方例えばＹ電極を駆動する表示電極駆動回路、１２５ａは、表示電極駆動回路基板１２５上に形成され、表示部１１内の表示放電用の電極のうちの他方例えばＸ電極を駆動する表示電極駆動回路、１３１は、回路部１２内に設けられた内蔵型のＨＤＤ（ハードディスクドライブ）（以下、内蔵型ＨＤＤという）、１３２は、上記入力映像信号または上記信号処理回路１２２ａにより信号処理された信号を記録するためのリムーバブルＨＤＤ、１３３は、回路部１２のＸ軸方向側面側に設けられ、リムーバブルＨＤＤ１３２が着脱可能な状態で装填されるＨＤＤソケット、１５１は、ビデオ信号の入出力端子やＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）などの端子が設けられた入出力端子基板である。なお、上記ＨＤＤソケット１３３は、ユーザが上記リムーバブルＨＤＤ１３２をワンタッチ操作で着脱可能な構成を備える。
【００１０】
また、１４１は、上記電源回路基板１２１に接続され外部から上記電源回路１２１ａへ上記ＡＣ電力を供給するＡＣ電源配線、１６１は、ＡＣ電源配線１４１の途中に接続され、外部からのＡＣ電力の，電源回路１２１への供給をオン、オフする電源スイッチ、１４１ａは、該電源スイッチ１６１が接続されるＡＣ電源配線１４１上のスイッチ接続部、１４２は、上記信号回路基板１２２と上記ＨＤＤソケット１３３との間を接続する配線（図１では、ストレージ部１２３とＨＤＤソケット１３３との間を接続した状態を示す）（以下、ＨＤＤソケット接続配線という）、１４３は、上記信号回路基板１２２と上記内蔵型ＨＤＤ１３１との間を接続する配線（図１では、ストレージ部１２３と内蔵型ＨＤＤ１３１との間を接続した状態を示す）（以下、内蔵型ＨＤＤ接続配線という）、１４４は、上記電源回路基板１２１と上記信号回路基板１２２との間を接続する配線（以下、電源回路基板接続配線という）、１４５、１４６は、上記信号回路基板１２２と上記入出力端子基板１５１との間を接続する配線（以下、入出力端子基板接続配線という）、ｃ−ｃ'は、表示部１１の平面（ＸＹ平面）の横方向（Ｘ軸方向）中心線である。
【００１１】
電源回路基板１２１、信号回路基板１２２及びＨＤＤソケット１３３は、表示部１１の平面（ＸＹ平面）に平行な平面内で互いに異なる位置に配され、かつ、ＡＣ電源配線１４１とＨＤＤソケット１３３は、信号回路基板１２２の両側に分かれた状態で配されている。図１の構成では、ＡＣ電源配線１４１とＨＤＤソケット接続配線１４２も、信号回路基板１２２の両側に分かれた状態で配されている。該両配線間の距離は１０×１０−２ｍ以上である。
【００１２】
ＨＤＤソケット１３３は、図２にも示したように、カバー１０内の回路部１２のＸ軸方向側面側にあって、リムーバブルＨＤＤ１３２が表示部１１の平面（ＸＹ平面）に略平行な平面内で−Ｘ軸方向及びＸ軸方向に沿って移動して着脱される構成とされている。また、該ＨＤＤソケット１３３は、表示部１１の平面（ＸＹ平面）に平行な回路部１２の平面内において、該表示部１１の平面の横方向中心線ｃ−ｃ'のＹ軸方向の高さｙｃ位置よりも下方に配されている。また、該ＨＤＤソケット１３３は、信号回路基板１２２のＹ軸方向高さ位置よりも下方側に配されている。また、該ＨＤＤソケット１３３は、表示電極駆動回路基板１２４、１２５に対してもそのＹ軸方向の高さ位置よりも下方側に配されている。さらに、信号回路基板１２２は、電源回路基板１２１のＹ軸方向の高さ位置よりも下方側に配されている。
電源スイッチ１６１は、回路部１２または表示部１１の下面（−Ｙ軸方向端面）側にあって、信号回路基板１２２に関しＨＤＤソケット接続配線１４２と反対側に設けられている。また、入出力端子基板１５１は、信号回路基板１２２の下方に設け、入出力端子基板接続配線１４５、１４６が信号回路基板１２２の下方に配されるようにしてある。
【００１３】
上記のように、図１、図２のプラズマディスプレイ装置１ａにおいては、ＡＣ電源配線１４１とＨＤＤソケット１３３を互いに信号回路基板１２２の両側に分けて配した構成としているため、ＡＣ電源配線１４１とＨＤＤソケット接続配線１４２も互いに、信号回路基板１２２の両側に分かれた配置とすることができ、この結果、該両配線は交差することなく、相互間の距離は１０×１０−２ｍ以上となっている。このように、ＨＤＤソケット接続配線１４２は、ＡＣ電源配線１４１に対し、交差せずにかつ十分な距離を隔てて配されるため、ＡＣ電源配線１４１からＨＤＤソケット接続配線１４２へ入り込むノイズを減らし、ノイズのリムーバブルＨＤＤへの影響を実用上支障ない低いレベルに抑えることができる。また、入出力端子基板１５１が、信号回路基板１２２の下方に設けられ、入出力端子基板接続配線１４５、１４６が信号回路基板１２２の下方に配されているため、ＡＣ電源配線１４１は、該入出力端子基板接続配線１４５、１４６とも交差しないようにすることができ、この結果、ＡＣ電源配線１４１から該入出力端子基板接続配線１４５、１４６へ入り込むノイズを実用上支障ない低いレベルに抑えることができる。なお、実験によると、ＡＣ電源配線１４１とＨＤＤソケット接続配線１４２とが交差しない状態にあるときには、該両配線間の離間距離が５×１０−２ｍ以上であれば、ＡＣ電源配線１４１からＨＤＤソケット接続配線１４２に入り込むノイズによるリムーバブルＨＤＤへの影響は実用上支障ないレベルになる。
【００１４】
また、図１、図２のプラズマディスプレイ装置１ａにおいては、該ＨＤＤソケット１３３を、表示部１１の平面（ＸＹ平面）に平行な平面内において、電源回路基板１２１のＹ軸方向高さ位置よりも下方に配することはもちろんのこと、該表示部１１の平面の横方向中心線ｃ−ｃ'のＹ軸方向の高さｙｃ位置よりも下方にあって、さらに、信号回路基板１２２のＹ軸方向高さ位置や、表示電極駆動回路基板１２４、１２５のＹ軸方向の高さ位置よりも下方側に配しているため、電源回路基板１２１や表示電極駆動回路基板１２４、１２５や信号回路基板１２２において発生する熱の影響を受けにくく、このため、該熱に起因したリムーバブルＨＤＤの温度上昇を抑えることができる。
【００１５】
例えば、回路部１２内でのＨＤＤソケット１３３の配置位置を変え、図３のようにした場合、すなわち該ＨＤＤソケット１３３を、回路部１２の側面側にあって表示部１１の平面の横方向中心線ｃ−ｃ'のＹ軸方向の高さｙｃ位置よりも上方に設け、かつ、信号回路基板１２２に対しＡＣ電源配線１４１と同じ側に配した場合には、ＨＤＤソケット接続配線１４２は、該信号回路基板１２２に対しＡＣ電源配線１４１と同じ側に配されて、互いに交差した部分（図３中のＰ部）と、近接した平行部分を有した（図３中のＱ部）状態となる。このように、ＨＤＤソケット接続配線１４２が、ＡＣ電源配線１４１と交差しかつ近接した平行部分を有する状態では、ＡＣ電源配線１４１からＨＤＤソケット接続配線１４２へ入り込むノイズが増大し易く、ＨＤＤソケット１３３内のリムーバブルＨＤＤが、該ノイズのために記録再生動作を停止してしまう場合がある。かかる構成において、例えば、ＡＣ電源配線１４１に、コンセントなどから他の電気製品の動作などに伴うノイズ（以下、ＡＣラインノイズという）が進入した場合は、ＨＤＤソケット接続配線１４２へ該ノイズが入り込み、ＨＤＤソケット１３３内のリムーバブルＨＤＤの動作を乱したり、停止させたりする。
【００１６】
プラズマディスプレイ装置を含めたテレビジョン受信機などの映像表示装置において、注意すべきノイズとしては、上記ＡＣラインノイズの他、アンテナから進入する雷などに起因した放電ノイズ（以下、アンテナ放電ノイズという）や、入出力端子基板１５１の入出力端子にケーブルを差し込むときの静電放電に起因して発生する放電ノイズ（以下、端子放電ノイズという）や、表示部の動作に伴って発生するリップルノイズなどの動作ノイズなどがあり、これらに対しては、リムーバブルＨＤＤの動作確保の点からも注意が必要である。
【００１７】
また、図３のプラズマディスプレイ装置１'の構成では、ＨＤＤソケット１３３が、信号回路基板１２２のＹ軸方向高さ位置よりも上方にあって、表示電極駆動回路基板１２４と平面的に重なった位置に配されるため、リムーバブルＨＤＤが、信号回路基板１２２や表示電極駆動回路基板１２４で発生した熱の影響を受けて、温度上昇をし易い。例えば、実験によると、装置の外部環境の温度が３５℃のとき、プラズマディスプレイ装置のカバー１０内においては、信号回路基板１２２の下方側の入出力端子基板１５１の位置の空間部の温度は約４０℃、電源回路基板１２１の位置の空間部の温度は約６０℃となり、両空間部間の高さ位置ではこれら両温度の中間の温度となる。従って、図３のＨＤＤソケット１３３の配置位置では、装置の外部環境の温度が３５℃のとき、約５０℃となり、リムーバブルＨＤＤはこの温度で加熱されることになる。リムーバブルＨＤＤ１３２の使用温度の上限は、安定した正常動作を確保する点から約５０℃と考えられるため、図３の構成では余裕がない。このため、ＨＤＤソケット１３３をもっと下方の位置に配置する必要がある。図１の構成においては、ＨＤＤソケット１３３を表示電極駆動回路基板１２５の下方に配し、温度の上昇を抑えるようにしている。
【００１８】
また、図３の構成においては、ＨＤＤソケット１３３を、回路部１２の側面側にあって表示部１１の平面の横方向中心線ｃ−ｃ'のＹ軸方向の高さｙｃ位置よりも上方に設けてあるため、リムーバブルＨＤＤ１３２を該ＨＤＤソケット１３３に着脱する場合に装置に対して働くＺ軸回りの回転モーメントが大きい。このため、装置が軽量の場合には、該着脱作業のとき、装置が動いたりするおそれもある。これに対し、図１、図２のプラズマディスプレイ装置１ａにおいては、該ＨＤＤソケット１３３を、上記のように、ＨＤＤソケット１３３を表示電極駆動回路基板１２５の下方側すなわち回路部１２の側面側の最下部近傍に設けてあるため、リムーバブルＨＤＤ１３２を該ＨＤＤソケット１３３に着脱する場合に装置に対して働くＺ軸回りの回転モーメントを小さくすることができ、該着脱作業のときに装置が動いたりすることを防ぐことができる。また、図１、図２のプラズマディスプレイ装置１ａにおいては、ＨＤＤソケット１３３は、カバー１０内の回路部１２のＸ軸方向側面側にあって、リムーバブルＨＤＤ１３２が表示部１１の平面（ＸＹ平面）に略平行な平面内で−Ｘ軸方向及びＸ軸方向に沿って移動して着脱される構成とされているため、ユーザはリムーバブルＨＤＤ１３２の着脱作業をし易く、かつ、ＨＤＤソケット１３３内に装填されたリムーバブルＨＤＤ１３２が自重で抜け落ちるなどの不都合も防止することができる。
【００１９】
上記のように、本発明の第１の実施例によれば、リムーバブルＨＤＤ１３２のＨＤＤソケット１３３への着脱作業を容易かつ短時間に行うことができる。また、リムーバブルＨＤＤ１３２へのＡＣ電源配線１４１からのノイズの影響を低く抑えることができる。また、リムーバブルＨＤＤ１３２の温度上昇も低く抑えることができる。この結果、使い勝手が良く、信頼性を確保したプラズマディスプレイ装置１ａを提供することができる。
【００２０】
図４は、本発明の第２の実施例の構成図である。本第２の実施例も、リムーバブルＨＤＤが着脱可能に装填されるＨＤＤソケットを備えるプラズマディスプレイ装置の場合の例であって、上記図１に示した第１の実施例としてのプラズマディスプレイ装置１ａとは、入出力端子基板１５１の配置位置と、該入出力端子基板１５１と信号回路基板１２２との間を接続する入出力端子基板接続配線１４５、１４６の配置位置が異なる。その他、ＨＤＤソケットなどの構成や配置位置などは、プラズマディスプレイ装置１ａの場合と同じである。
【００２１】
図４において、１ｂは、第２の実施例のプラズマディスプレイ装置である。他の符号は、図１の場合と同じである。本プラズマディスプレイ装置１ｂにおいては、入出力端子基板１５１を、電源回路基板１２１の上方で回路部１２の最上部に設けてある。このため、入出力端子基板１５１の位置が、信号回路基板１２２の位置から遠くなり、入出力端子基板１５１において端子放電ノイズなどが発生した場合も、信号処理回路１２２ａはその影響を受けにくくなる。また、図４のプラズマディスプレイ装置１ｂにおいては、ＨＤＤソケット１３３は、プラズマディスプレイ装置１ａの場合と同じ構成及び配置であるため、上記第１の実施例で説明したと同様の、リムーバブルＨＤＤ１３２に対するＡＣ電源配線１４１からのノイズの影響の低減化、上昇温度の低減化、着脱作業の容易化及び必要時間の短縮化の作用・効果が得られる。
【００２２】
図５は、本発明の第３の実施例の構成図である。本第３の実施例も、リムーバブルＨＤＤが着脱可能に装填されるＨＤＤソケットを備えるプラズマディスプレイ装置の場合であって、上記第２の実施例の場合と同様、上記図１に示した第１の実施例としてのプラズマディスプレイ装置１ａとは、入出力端子基板１５１の配置位置と、該入出力端子基板１５１と信号回路基板１２２との間を接続する入出力端子基板接続配線１４５、１４６の配置位置だけが異なる。その他、ＨＤＤソケットなどの構成及び配置は、プラズマディスプレイ装置１ａの場合と同じである。
【００２３】
図５において、１ｃは、第３の実施例のプラズマディスプレイ装置である。他の符号は、図１の場合と同じである。本プラズマディスプレイ装置１ｂにおいては、入出力端子基板１５１を、回路部１２のＸ軸方向の側面側でＨＤＤソケット１３３の上方側に設けてある。このため、この場合も、図４の場合と同様、入出力端子基板１５１の位置が、信号回路基板１２２の位置から遠くなり、入出力端子基板１５１において端子放電ノイズなどが発生した場合も、信号処理回路１２２ａはその影響を受けにくい。また、図５のプラズマディスプレイ装置１ｃにおいては、ＨＤＤソケット１３３は、プラズマディスプレイ装置１ａの場合と同じ構成及び配置であるため、上記第１の実施例で説明したと同様の、リムーバブルＨＤＤ１３２に対するＡＣ電源配線１４１からのノイズの影響の低減化、上昇温度の低減化、着脱作業の容易化及び必要時間の短縮化の作用・効果が得られる。
【００２４】
図６は、本発明の第４の実施例の構成図である。本第４の実施例も、リムーバブルＨＤＤが着脱可能に装填されるＨＤＤソケットを備えるプラズマディスプレイ装置の場合の例であって、上記第２、第３の実施例の場合と同様、上記図１に示した第１の実施例としてのプラズマディスプレイ装置１ａとは、入出力端子基板１５１の配置位置と、該入出力端子基板１５１と信号回路基板１２２との間を接続する入出力端子基板接続配線１４５、１４６の配置位置だけが異なる。その他、ＨＤＤソケットなど他の部分の構成や配置は、プラズマディスプレイ装置１ａの場合と同じである。
【００２５】
図６において、１ｄは、第４の実施例のプラズマディスプレイ装置である。他の符号は、図１の場合と同じである。本プラズマディスプレイ装置１ｂにおいては、入出力端子基板１５１を、回路部１２の−Ｘ軸方向の側面側に設けてある。このため、この場合も、図４の場合と同様、入出力端子基板１５１の位置が、信号回路基板１２２の位置から遠くなり、入出力端子基板１５１において端子放電ノイズなどが発生した場合にも、信号処理回路１２２ａはその影響を受けにくくなる。また、図６のプラズマディスプレイ装置１ｄにおいては、ＨＤＤソケット１３３は、プラズマディスプレイ装置１ａの場合と同じ構成及び配置であるため、上記第１の実施例で説明したと同様の、リムーバブルＨＤＤ１３２に対するＡＣ電源配線１４１からのノイズの影響の低減化、上昇温度の低減化、着脱作業の容易化及び必要時間の短縮化の作用・効果が得られる。
【００２６】
図７は、本発明の第５の実施例の構成図である。本第５の実施例は、リムーバブルＨＤＤが着脱可能に装填されるＨＤＤソケットを備える液晶ディスプレイ装置の場合である。
図７において、１ｅは、液晶表示素子に照射された光を変調することにより、入力映像信号に対応した光学像を形成して映像表示を行う液晶ディスプレイ装置、１１は、液晶表示素子により上記映像表示を行う表示部、１２は、表示部１１の裏面（−Ｚ軸方向）側に該表示部１１に平面的に重ねて配され装置を駆動する回路部、１０は、表示部１１の一部と回路部１２とを覆うカバー、１３は、表示部１１、回路部１２及びカバー１０を支持するスタンド、１２１は電源回路基板、１２１ａは、電源回路基板１２１上に形成され、外部から入力されたＡＣ電力に基づき所定電圧の装置駆動用電力を形成し出力する電源回路、１２２は信号回路基板、１２２ａは、信号回路基板１２２上に形成され、画像処理回路やマイコンなどを備えて成り、入力映像信号を信号処理し上記表示部１１に表示可能な信号を出力する信号処理回路、１２２１〜１２２３は信号処理回路１２２ａの接続用端子部、１２３は、信号回路基板１２２上に設けられ、信号処理回路１２２ａで信号処理された信号を記憶するストレージ部、１２３１、１２３２はストレージ部１２３の接続用端子部、１３１は、回路部１２内に設けられた内蔵型ＨＤＤ、１３２は、上記入力映像信号または上記信号処理回路１２２ａにより信号処理された信号を記録するためのリムーバブルＨＤＤ、１３３は、回路部１２の−Ｘ軸方向側面側に設けられ、リムーバブルＨＤＤ１３２が着脱可能な状態で装填されるＨＤＤソケット、１５１は、ビデオ信号の入出力端子やＨＤＭＩなどの端子が設けられた入出力端子基板である。なお、上記ＨＤＤソケット１３３は、ユーザが上記リムーバブルＨＤＤ１３２をワンタッチ操作で着脱可能な構成を備える。
【００２７】
また、１４１は、上記電源回路基板１２１に接続され外部から電源回路１２１ａへ上記ＡＣ電力を供給するＡＣ電源配線、１６１は、ＡＣ電源配線１４１の途中に接続され、外部からのＡＣ電力の電源回路１２１への供給をオン、オフする電源スイッチ、１４１ａは、該電源スイッチ１６１が接続されるＡＣ電源配線１４１上のスイッチ接続部、１４２は、上記信号回路基板１２２と上記ＨＤＤソケット１３３との間を接続する配線（図７では、ストレージ部１２３とＨＤＤソケット１３３との間を接続した状態を示す）（以下、ＨＤＤソケット接続配線という）、１４３は、上記信号回路基板１２２と上記内蔵型ＨＤＤ１３１との間を接続する配線（図７では、ストレージ部１２３と内蔵型ＨＤＤ１３１との間を接続している）（以下、内蔵型ＨＤＤ接続配線という）、１４４は、上記電源回路基板１２１と上記信号回路基板１２２との間を接続する配線（以下、電源回路基板接続配線という）、１４５、１４６は、上記信号回路基板１２２と上記入出力端子基板１５１との間を接続する配線（以下、入出力端子基板接続配線という）、ｃ−ｃ'は、表示部１１の平面（ＸＹ平面）の横方向（Ｘ軸方向）中心線である。
【００２８】
電源回路基板１２１、信号回路基板１２２及びＨＤＤソケット１３３は、表示部１１の平面（ＸＹ平面）に平行な平面内で互いに異なる位置に配され、かつ、ＡＣ電源配線１４１とＨＤＤソケット１３３は、信号回路基板１２２の両側に分かれた状態で配されている。さらに、上記ＨＤＤソケット１３３、上記電源回路基板１２１及び上記信号回路基板１２２が、横方向（Ｘ軸方向）に並んで配されている。
【００２９】
ＨＤＤソケット１３３は、カバー１０内の回路部１２の−Ｘ軸方向側面側にあって、リムーバブルＨＤＤ１３２が表示部１１の平面（ＸＹ平面）に略平行な方向（−Ｘ軸方向）に移動して着脱される構成とされている。また、該ＨＤＤソケット１３３は、表示部１１の平面（ＸＹ平面）に平行な回路部１２の平面内において、該表示部１１の平面の横方向中心線ｃ−ｃ'のＹ軸方向の高さｙｃ位置よりも下方に配されている。また、該ＨＤＤソケット１３３は、信号回路基板１２２のＹ軸方向高さ位置よりも下方側に配されている。
【００３０】
電源スイッチ１６１は、回路部１２または表示部１１の下面（−Ｙ軸方向端面）側に設けられている。また、入出力端子基板１５１は、信号回路基板１２２の横方向（−Ｘ軸方向）に設け、入出力端子基板接続配線１４５、１４６が該信号回路基板１２２の横方向（−Ｘ軸方向）に配されるようにしてある。
【００３１】
上記のように、図７の液晶ディスプレイ装置１ｅにおいては、ＨＤＤソケット１３３と電源回路基板１２１と信号回路基板１２２とを、横方向（Ｘ軸方向）に並べて配し、ＡＣ電源配線１４１とＨＤＤソケット１３３を互いに信号回路基板１２２の両側に分けて配した構成としているため、ＡＣ電源配線１４１とＨＤＤソケット接続配線１４２は、長い距離離れた配置とすることができ、この結果、該両配線は、交差することなく、かつ相互間距離は１０×１０−２ｍ以上となっている。このように、ＨＤＤソケット接続配線１４２は、ＡＣ電源配線１４１に対し、交差せずにかつ十分な距離を隔てて配されるため、ＡＣ電源配線１４１からＨＤＤソケット接続配線１４２へ入り込むノイズを減らし、ノイズのリムーバブルＨＤＤへの影響を実用上支障ない低いレベルに抑えることができる。また、入出力端子基板１５１が、信号回路基板１２２の横方向（−Ｘ軸方向）に配されているため、ＡＣ電源配線１４１は、該入出力端子基板接続配線１４５、１４６とも交差しないようにすることができ、この結果、ＡＣ電源配線１４１から該入出力端子基板接続配線１４５、１４６へ入り込むノイズを実用上支障ない低いレベルに抑えることができる。なお、実験によると、ＡＣ電源配線１４１とＨＤＤソケット接続配線１４２とが交差しない状態にあるときには、該両配線間の離間距離が５×１０−２ｍ以上あれば、ＡＣ電源配線１４１からＨＤＤソケット接続配線１４２に入り込むノイズによるリムーバブルＨＤＤへの影響は実用上支障ないレベルになることが確認されている。
【００３２】
また、図７のプラズマディスプレイ装置１ｅにおいては、ＨＤＤソケット１３３を、電源回路基板１２１や信号回路基板１２２と横方向（Ｘ軸方向）に並べて配し、かつ、表示部１１の平面（ＸＹ平面）に平行な平面内において、表示部１１の平面の横方向中心線ｃ−ｃ'のＹ軸方向の高さｙｃ位置よりも下方にあって、さらに、該電源回路基板１２１や該信号回路基板１２２のＹ軸方向高さ位置よりも下方に配してあるため、リムーバブルＨＤＤは、該電源回路基板１２１や該信号回路基板１２２において発生する熱の影響を受けにくく、このため、該熱に起因したリムーバブルＨＤＤの温度上昇を抑えることができる。さらに、電源回路基板１２１と信号回路基板１２２についても、上記のように互いに横方向（Ｘ軸方向）に並べて配されているため、信号回路基板１２２は、電源回路基板１２１が発生する熱の影響を受けにくいし、電源回路基板１２１は、信号回路基板１２で発生する熱の影響を受けにくい。
【００３３】
また、図７の液晶ディスプレイ装置１ｅにおいては、ＨＤＤソケット１３３を、上記のように、回路部１２の側面側の最下部近傍に設けてあるため、リムーバブルＨＤＤ１３２を該ＨＤＤソケット１３３に着脱する場合に装置に対して働くＺ軸回りの回転モーメントを小さくすることができ、該着脱作業のときに装置が動いたりすることを防ぐことができる。また、ＨＤＤソケット１３３は、カバー１０内の回路部１２のＸ軸方向側面側にあって、リムーバブルＨＤＤ１３２が表示部１１の平面（ＸＹ平面）に略平行な平面内でＸ軸方向及び−Ｘ軸方向に沿って移動して着脱される構成とされているため、ユーザはリムーバブルＨＤＤ１３２の着脱作業をし易く、かつ、ＨＤＤソケット１３３内に装填されたリムーバブルＨＤＤ１３２が自重でＨＤＤソケット１３３から抜け落ちるなどの不都合も防止することができる。
【００３４】
上記のように、本発明の第５の実施例によれば、リムーバブルＨＤＤ１３２のＨＤＤソケット１３３への着脱作業を容易かつ短時間に行うことができる。また、リムーバブルＨＤＤ１３２へのＡＣ電源配線１４１からのノイズの影響を低く抑えることができる。また、リムーバブルＨＤＤ１３２の温度上昇も低く抑えることができる。この結果、使い勝手が良く、信頼性を確保した液晶ディスプレイ装置１ｅを提供することができる。
【００３５】
図８は、本発明の第６の実施例の構成図である。本第６の実施例も、リムーバブルＨＤＤが着脱可能に装填されるＨＤＤソケットを備える液晶ディスプレイ装置の場合の例であって、上記図７に示した第５の実施例としての液晶ディスプレイ装置１ｅとは、入出力端子基板１５１の配置位置と、該入出力端子基板１５１と信号回路基板１２２との間を接続する入出力端子基板接続配線１４５、１４６の配置位置が異なる。その他、ＨＤＤソケットなどの配置は、上記第５の実施例の液晶ディスプレイ装置１ｅの場合と同じである。
【００３６】
図８において、１ｆは、第６の実施例としての液晶ディスプレイ装置である。他の符号は、図７の場合と同じである。本液晶ディスプレイ装置１ｆにおいては、入出力端子基板１５１を、電源回路基板１２１や信号回路基板１２２の下方で回路部１２の最下部に設けてある。このため、入出力端子基板１５１の位置が、信号回路基板１２２の位置から遠くなり、入出力端子基板１５１において端子放電ノイズなどが発生した場合も信号処理回路１２２ａに対して影響しにくくなる。また、本図８の液晶ディスプレイ装置１ｆにおいては、ＨＤＤソケット１３３は、上記図７の液晶ディスプレイ装置１ｅの場合と同じ配置であるため、上記第５の実施例で説明したと同様の、リムーバブルＨＤＤ１３２に対するＡＣ電源配線１４１からのノイズの影響の低減化、上昇温度の低減化、着脱作業の容易化及び必要時間の短縮化の作用・効果が得られる。
【００３７】
図９は、本発明の第７の実施例の構成図である。本第７の実施例も、リムーバブルＨＤＤが着脱可能に装填されるＨＤＤソケットを備える液晶ディスプレイ装置の場合の例であって、上記図７に示した第５の実施例としての液晶ディスプレイ装置１ｅとは、入出力端子基板１５１の配置位置と、該入出力端子基板１５１と信号回路基板１２２との間を接続する入出力端子基板接続配線１４５、１４６の配置位置が異なる。その他、ＨＤＤソケットなどの配置は、上記第５の実施例の液晶ディスプレイ装置１ｅの場合と同じである。
【００３８】
図９において、１ｇは、第７の実施例としての液晶ディスプレイ装置である。他の符号は、図７の場合と同じである。本液晶ディスプレイ装置１ｇにおいては、入出力端子基板１５１を、電源回路基板１２１や信号回路基板１２２の上方で回路部１２の最上部に設けてある。このため、ＡＣ電源配線１４１、ＨＤＤソケット接続配線１４２、内蔵型ＨＤＤ接続配線１４３、電源回路基板接続配線１４４、入出力端子基板接続配線１４５、１４６をそれぞれ、回路部１２の平面（ＸＹ平面）内で分散させ、それぞれを、各基板間や、基板と内蔵型ＨＤＤ１３１との間や、基板とＨＤＤソケット１３２との間などを通さない配線とすることができる。このため、各接続配線と、各基板１２１、１２２との間や、各接続配線と内蔵型ＨＤＤ１３１との間や、各接続配線とリムーバブルＨＤＤ１３２との間でのノイズの及ぼし合いを抑えることができる。また、本図９の液晶ディスプレイ装置１ｇにおいては、ＨＤＤソケット１３３は、上記図７の液晶ディスプレイ装置１ｅの場合と同じ配置であるため、上記第５の実施例で説明したと同様の、リムーバブルＨＤＤ１３２に対するＡＣ電源配線１４１からのノイズの影響の低減化、上昇温度の低減化、着脱作業の容易化及び必要時間の短縮化の作用・効果が得られる。
【００３９】
なお、上記各実施例においては、ＨＤＤソケット１３３に装填されたリムーバブルＨＤＤ１３２の一部がカバー１０の外面より突出している場合を図示したが、リムーバブルＨＤＤ１３２は該カバー１０の外面から突出しない構成であってもよい。また、上記各実施例のＨＤＤソケット１３３は、一種類のリムーバブルＨＤＤ１３２が装填されるものに限定されず、複数種類のサイズの異なったリムーバブルＨＤＤ１３２に対応可能なものであってもよい。
【００４０】
また、図１〜図９に示した実施例において、リムーバブルＨＤＤ１３２が挿入されるＨＤＤソケット１３３の位置とＡＣ電源配線１４１の位置とを左右反転させても、同様な効果が得られることは言うまでもない。さらにまた、上記実施例では、映像表示装置として液晶ディスプレイ装置及びプラズマディスプレイ装置を例にして説明したが、他の表示素子を用いた表示装置、例えば有機ＥＬ（ｏｒｇａｎｉｃ  ｅｌｅｃｔｒｏ  ｌｕｍｉｎｅｓｃｅｎｃｅ）やＦＥＤ（Ｆｉｅｌｄ  Ｅｍｉｓｓｉｏｎ  Ｄｉｓｐｌａｙ）を用いた表示装置においても本発明を適用できる。
【図面の簡単な説明】
【００４１】
【図１】本発明の第１の実施例の映像表示装置の構成図である。
【図２】図１の映像表示装置の構成説明用の比較図である。
【図３】図１の映像表示装置の外観図である。
【図４】本発明の第２の実施例の映像表示装置の構成図である。
【図５】本発明の第３の実施例の映像表示装置の構成図である。
【図６】本発明の第４の実施例の映像表示装置の構成図である。
【図７】本発明の第５の実施例の映像表示装置の構成図である。
【図８】本発明の第６の実施例の映像表示装置の構成図である。
【図９】本発明の第７の実施例の映像表示装置の構成図である。
【符号の説明】
【００４２】
１ａ、１ｂ、１ｃ、１ｄ…プラズマディスプレイ装置、
１ｅ、１ｆ、１ｇ…液晶ディスプレイ装置、
１０…カバー、
１１…表示部、
１２…回路部、
１３…スタンド、
１２１…電源回路基板、
１２１ａ…電源回路、
１２２…信号回路基板、
１２２ａ…信号処理回路、
１２２１〜１２２３、１２３１、１２３２…接続用端子部、
１２３…ストレージ部、
…１２４、１２５…表示電極駆動回路基板、
１２４ａ、１２５ａ…表示電極駆動回路、
１３１…内蔵型ＨＤＤ、
１３２…リムーバブルＨＤＤ、
１３３…ＨＤＤソケット、
１５１…入出力端子基板、
１４１…ＡＣ電源配線、
１６１…電源スイッチ、
１４１ａ…スイッチ接続部、
１４２…ＨＤＤソケット接続配線、
１４３…内蔵型ＨＤＤ接続配線、
１４４…電源回路基板接続配線、
１４５、１４６…入出力端子基板接続配線。
【図１】
2008236167.tif 000003
【図２】
2008236167.tif 000004
【図３】
2008236167.tif 000005
【図４】
2008236167.tif 000006
【図５】
2008236167.tif 000007
【図６】
2008236167.tif 000008
【図７】
2008236167.tif 000009
【図８】
2008236167.tif 000010
【図９】
2008236167.tif 000011